(57)【特許請求の範囲】
【請求項１】
ＲＧＢに対応した３つの光源から出射された光の受光量を出力するＲＧＢに対応した３つの撮像素子の補正テーブル作成方法において、
Ｒに対応した光源を単色点灯させた状態においてＲに対応した撮像素子における蓄積時間を所定範囲で変更して得られた出力値、及び、ＧＢにそれぞれ対応した光源を単色点灯させた状態においてＲに対応した撮像素子により得られた出力値と、感度特性から得られた出力値とに基づいてＲについての補正値を求め、
Ｇに対応した光源を単色点灯させた状態においてＧに対応した撮像素子における蓄積時間を所定範囲で変更して得られた出力値、及び、ＲＢにそれぞれ対応した光源を単色点灯させた状態においてＧに対応した撮像素子により得られた出力値と、感度特性から得られた出力値とに基づいてＧについての補正値を求め、
Ｂに対応した光源を単色点灯させた状態においてＢに対応した撮像素子における蓄積時間を所定範囲で変更して得られた出力値、及び、ＲＧにそれぞれ対応した光源を単色点灯させた状態においてＢに対応した撮像素子により得られた出力値と、感度特性から得られた出力値とに基づいてＢについての補正値を求めることによって、
ＲＧＢのそれぞれに対応した補正テーブルを作成することを特徴とする撮像素子の補正テーブル作成方法。
【発明の詳細な説明】
【技術分野】
【０００１】
本発明は、ＣＣＤ等の撮像素子の補正テーブルを作成する補正テーブル作成方法に関するものである。
【背景技術】
【０００２】
フィルムに記録された画像を読み取る画像読み取り装置には、フィルムに対して光を出射する光源と、フィルムを通過した光を画像データとして受光し、その画像データを電気信号（出力信号）に変換するＣＣＤ（電荷結合素子）等の撮像素子とが備えられている。ここで、ＣＣＤが受光する光の光量値と、そのときのＣＣＤでの測光値（出力値）との間には、全ての領域においてリニアリティ（直線性）があることが好ましい。しかしながら、現実には、光量が低い領域（暗い領域）や光量が高い領域（明るい領域）では直線性が損なわれることが多い。
【０００３】
そこで、広いダイナミックレンジを得る方法として、撮像素子によって同一の画像に対し蓄積時間を異ならせて複数回の読み取りを行い、より長い蓄積時間で読み取った画像情報を画像のより暗い部分に、より短い蓄積時間で読み取った画像情報を画像のより明るい部分に、それぞれ対応するように画像情報を合成して入力する方法がある（例えば、特許文献１参照）。
【特許文献１】特開５−１７６２３３号公報（図１）
【発明の開示】
【発明が解決しようとする課題】
【０００４】
しかしながら、ＣＣＤにおける蓄積時間は、設定条件の関係上、所定範囲内でしか設定することができないので、光量が低い領域における特性を十分に測定することができない。そのため、光量が低い領域での補正を適正に行うのは困難である。
【０００５】
そこで、本発明の目的は、光量が低い領域での補正を可能にすることで、より広いダイナミックレンジが得られる補正テーブルを作成する撮像素子の補正テーブル作成方法を提供することである。
【課題を解決するための手段および発明の効果】
【０００６】
本発明の撮像素子の補正テーブル作成方法は、ＲＧＢに対応した３つの光源から出射された光の受光量を出力するＲＧＢに対応した３つの撮像素子の補正テーブル作成方法において、Ｒに対応した光源を単色点灯させた状態においてＲに対応した撮像素子における蓄積時間を所定範囲で変更して得られた出力値、及び、ＧＢにそれぞれ対応した光源を単色点灯させた状態においてＲに対応した撮像素子により得られた出力値と、感度特性から得られた出力値とに基づいてＲについての補正値を求め、Ｇに対応した光源を単色点灯させた状態においてＧに対応した撮像素子における蓄積時間を所定範囲で変更して得られた出力値、及び、ＲＢにそれぞれ対応した光源を単色点灯させた状態においてＧに対応した撮像素子により得られた出力値と、感度特性から得られた出力値とに基づいてＧについての補正値を求め、Ｂに対応した光源を単色点灯させた状態においてＢに対応した撮像素子における蓄積時間を所定範囲で変更して得られた出力値、及び、ＲＧにそれぞれ対応した光源を単色点灯させた状態においてＢに対応した撮像素子により得られた出力値と、感度特性から得られた出力値とに基づいてＢについての補正値を求めることによって、ＲＧＢのそれぞれに対応した補正テーブルを作成するものである。
【０００７】
この構成によると、光量が低い領域での補正が可能になり、より広いダイナミックレンジが得られる補正テーブルを作成することができる。
また、各単色点灯時に対象となる色以外の測光値も測定されるので、測定回数を減らすことができる。
【発明を実施するための最良の形態】
【０００８】
以下、本発明の好適な実施の形態について、図面を参照しつつ説明する。図１は、本発明の実施の形態に係るＣＣＤの補正テーブル作成方法の手順を示すフローチャートである。なお、本発明の補正テーブル作成方法で作成されるＣＣＤの補正テーブルは、ＲＧＢの各色にそれぞれ対応したＣＣＤを有する画像読み取り装置で用いられる。以下の説明では、Ｒ（レッド）の光に基づく出力を出力するＣＣＤを「ＲのＣＣＤ」と称し、Ｇ（グリーン）及びＢ（ブルー）の光に基づく出力をそれぞれ出力するＣＣＤを「ＧのＣＣＤ」、「ＢのＣＣＤ」と称する。
【０００９】
まず、ＲＧＢの各色のＣＣＤの暗レベルを測定する（ステップＳ１０１）。このとき、アナログゲインは１倍に設定されている。図２は、各色のＣＣＤの暗レベルの平均値を示している。
【００１０】
次に、ＲＧＢの各色のＣＣＤにおける蓄積時間が最長になるように設定する（ステップＳ１０２）。本実施の形態で用いられる各色のＣＣＤにおける蓄積時間は、１倍〜１４倍まで設定可能なものであるので、ここでは、蓄積時間が１４倍に設定される。
【００１１】
そして、ＲＧＢの各色の光を出射するＬＥＤ光源を順に単色点灯させる（ステップＳ１０３）。このとき、ＬＥＤ光源の電流とズームレンズの絞りを調整することにより、ラインスキャンによるＣＣＤでの測光値の平均値をリニアリティ上問題のない領域に収束させる（ステップＳ１０４）。本実施の形態では、リニアリティ上問題のない領域の測光値の平均値として、各色のＣＣＤから出力されるＡＤ値が例えば２４００〜３２００になるように調整される。その後、このＡＤ値が各色の測定の基点になる。
【００１２】
図３は、各単色点灯時の各ＣＣＤでの測光値を示している。ここでは、各色のＣＣＤにおける蓄積時間が１４倍に設定された状態において、Ｒに対応したＬＥＤ光源が単色点灯された場合に、ＲのＣＣＤでの測光値が３０００近傍（図３（ａ）では、２９９５．４１２）になるように、光源電流とズームレンズの絞りが調整されている。同様に、Ｇに対応したＬＥＤ光源が単色点灯された場合に、ＧのＣＣＤでの測光値が３０００近傍（図３（ｂ）では、２９９１．３４）になり、Ｂに対応したＬＥＤ光源が単色点灯された場合に、ＢのＣＣＤでの測光値が３０００近傍（図３（ｃ）では、２９４４．２５５）になるように、光源電流とズームレンズの絞りが調整されている。
【００１３】
ここで、例えばＢのＣＣＤの測光値を考えると、Ｇに対応したＬＥＤ光源が単色点灯された場合において、ＢのＣＣＤにおける蓄積時間が１４倍に設定されている場合には、ＢのＣＣＤでの測光値は２２３．４０３になっている。つまり、Ｇに対応したＬＥＤ光源が単色点灯された場合に、ＧのＣＣＤでの測光値が３０００近傍になるように、光源電流とズームレンズの絞りが調整されることは、ＢのＣＣＤにおける蓄積時間が１４倍に設定されている場合に、ＢのＣＣＤでの測光値がＢに対応したＬＥＤ光源が単色点灯された場合よりも小さくなるように、光源電流とズームレンズの絞りが調整されることを示している。
【００１４】
また、Ｒに対応したＬＥＤ光源が単色点灯された場合において、ＢのＣＣＤにおける蓄積時間が１４倍に設定されている場合には、ＢのＣＣＤでの測光値は４８．８２８になっている。つまり、Ｒに対応したＬＥＤ光源が単色点灯された場合に、ＲのＣＣＤでの測光値が３０００近傍になるように、光源電流とズームレンズの絞りが調整されることは、ＢのＣＣＤにおける蓄積時間が１４倍に設定されている場合に、ＢのＣＣＤでの測光値がＧに対応したＬＥＤ光源が単色点灯された場合よりも小さくなるように、光源電流とズームレンズの絞りが調整されることを示している。
【００１５】
そして、各色に対応したＬＥＤ光源が単色点灯された状態で、各ＣＣＤにおける蓄積時間を１４倍〜１倍に変更しながら、各ＣＣＤでの測光値を測定する（ステップＳ１０５）。このようにして得られる測定結果は、図３（ａ）〜図３（ｃ）のようになる。ここで、各ＣＣＤでの測光値とは、ラインスキャンによる測光値の平均値である。
【００１６】
例えば、Ｒに対応したＬＥＤ光源が単色点灯された場合を考える。ＲのＣＣＤにおける蓄積時間が１４倍に設定されている場合には、ＲのＣＣＤでの測光値は２９９５．４１２であるが、図３（ａ）に示すように、蓄積時間が１２倍に設定されると２５８３．６２５になり、蓄積時間が１０倍に設定されると２１６１．９７８になり、・・・、蓄積時間が１倍に設定されると２３５．０９５になる。  
【００１７】
ここで、Ｒに対応したＬＥＤ光源が単色点灯された場合には、Ｇ、Ｂに対応したＬＥＤ光源は点灯されていないので、Ｇ、ＢのＣＣＤでの測光値はほとんど０になると考えられる。しかしながら、Ｒの光の波長、Ｇの光の波長及びＢの光の波長には重なっている部分があるので、Ｒに対応したＬＥＤ光源が単色点灯された場合でも、Ｇ、ＢのＣＣＤでの測光値は完全に０にはならない。そのため、Ｒに対応したＬＥＤ光源が単色点灯された場合において、Ｇ、ＢのＣＣＤにおける蓄積時間が１４倍に設定されている場合には、図３（ａ）に示すように、ＧのＣＣＤでの測光値は２８．４７３になり、ＢのＣＣＤでの測光値は４８．８２８になる。また、Ｇ、ＢのＣＣＤでの測光値も、蓄積時間の変化に伴って変化する。なお、上述の内容は、図３（ｂ）及び図３（ｃ）に示すように、Ｇ、Ｂに対応したＬＥＤ光源が単色点灯された場合も同様である。
【００１８】
このようにして、各単色点灯時のＲＧＢの各色のＣＣＤでの測光値が測定されると、次に、暗レベル除去を行う（ステップＳ１０６）。つまり、図３（ａ）〜図３（ｃ）に示す測光値から、図２に示す暗レベル平均値が各色毎に減算される。すると、各ＣＣＤでの測光値は、図４（ａ）〜図４（ｃ）に示すようになる。
【００１９】
このようにして得られた測定テーブルに基づいて、各色の補正テーブルが作成される。まず、各色で最も明るい測定テーブル（例、Ｂ単色点灯時のＢ）の１４倍測光値を基準として、その測定テーブル全体の理想値を算出する（ステップＳ１０７）。ここでは、一例として、Ｂに対応した補正テーブルの作成手順を詳細に説明するが、Ｒ、Ｇに対応した補正テーブルの作成手順は同様である。
【００２０】
つまり、ＢのＣＣＤにおける蓄積時間が１４倍に設定された状態で、ＢのＣＣＤでの測光値が最も大きいのは、Ｂに対応したＬＥＤ光源が単色点灯された場合であり、測光値は２９２０．７７５である。そして、この測光値はリニアリティ上問題のない領域の値であるので、ＢのＣＣＤにおける蓄積時間が１４倍に設定された状態では、測光値と理想値とが一致する。従って、Ｂ単色点灯時のＢに対応したＣＣＤでの１４倍測光値（理想値）に、１４／１４、１２／１４、１０／１４、・・・、２／１４、１／１４を順に乗算することで、図５（ａ）に示すように、各蓄積時間が設定されている場合の測光値の理想値が算出される。
【００２１】
そして、各蓄積時間における実測値及び理想値がログ変換されると、図５（ｂ）に示す変換テーブル１が作成される（ステップＳ１０８）。その後、ログ空間において、実測値に対する理想値の近似直線を最小２乗法により算出する（ステップＳ１０９）。図６は、図５（ｂ）に示す実測値及び理想値に基づいて算出された近似直線を示している。本実施の形態では、実測値ｘ、理想値ｙとすると、近似直線は次式で表される。
ｙ＝0.9565ｘ＋0.3323
【００２２】
次に、各色で次に明るい測定テーブル（例、Ｇ単色点灯時のＢ）の１４倍測光値及び上記近似直線により、１４倍測光値の理想値を算出する（ステップＳ１１０）。つまり、ＢのＣＣＤにおける蓄積時間が１４倍に設定された状態で、ＢのＣＣＤでの測光値が２番目に大きいのは、Ｇに対応したＬＥＤ光源が単色点灯された場合であり、測光値は１９９．９２３である。従って、この測光値及び上記近似直線から、Ｇ単色点灯時のＢのＣＣＤでの測光値の理想値が、２２１．３５６と算出される。
【００２３】
上記の理想値を基点として、その測定テーブル全体の理想値を算出する（ステップＳ１１１）。従って、Ｇ単色点灯時のＢのＣＣＤでの１４倍測光値の理想値に、１４／１４、１２／１４、１０／１４、・・・、２／１４、１／１４を順に乗算することで、図７（ａ）に示すように、各蓄積時間における理想値が算出される。
【００２４】
そして、各蓄積時間における実測値及び理想値がログに変換されると、図７（ｂ）に示す変換テーブル２が作成される（ステップＳ１１２）。その後、ログ空間において、実測値に対する理想値の近似曲線を算出する（ステップＳ１１３）。図８は、図７（ｂ）に示す実測値及び理想値に基づいて算出された近似曲線を示している。なお、図８には、上述で算出された近似直線があわせて図示されている。本実施の形態では、実測値ｘ、理想値ｙとすると、近似曲線は次式で表される。
ｙ＝0.0084ｘ6-0.2108ｘ5+2.1711ｘ4-11.768ｘ3+35.307ｘ2-54.43ｘ+35.589
【００２５】
次に、各色で最も暗い測定テーブル（例、Ｒ単色点灯時のＢ）の１４倍測光値及び上記近似曲線により１４倍測光値の理想値を算出する（ステップＳ１１４）。つまり、ＢのＣＣＤにおける蓄積時間が１４倍に設定された状態で、ＢのＣＣＤでの測光値が最も小さいのは、Ｒに対応したＬＥＤ光源が単色点灯された場合であり、測光値は２５．３４８である。従って、この測光値及び上記近似曲線から、Ｒ単色点灯時のＢのＣＣＤでの測光値の理想値が、２９．２２５１３と算出される。
【００２６】
上記の理想値を基点として、その測定テーブル全体の理想値を算出する（ステップＳ１１５）。従って、Ｒ単色点灯時のＢのＣＣＤでの１４倍測光値の理想値に、１４／１４、１２／１４、１０／１４、・・・、２／１４、１／１４を順に乗算することで、図９（ａ）に示すように、各蓄積時間における理想値が算出される。
【００２７】
そして、各蓄積時間における実測値及び理想値がログに変換されると、図９（ｂ）に示す変換テーブル３が作成される（ステップＳ１１６）。その後、ログ空間において、実測値に対する理想値の近似曲線を算出する（ステップＳ１１７）。図１０は、図９（ｂ）に示す実測値及び理想値に基づいて算出された近似曲線を示している。なお、図１０には、上述で算出された近似直線及び近似曲線があわせて図示されている。本実施の形態では、実測値ｘ、理想値ｙとすると、近似曲線は次式で表される。
ｙ＝-0.028ｘ6+0.3523ｘ5-1.7798ｘ4+4.5844ｘ3-6.2908ｘ2+5.2131ｘ-0.6448
【００２８】
最後に、上述の変換テーブル１〜３が結合されると、図１１（ａ）に示すようになる（ステップＳ１１８）。そして、上記で結合された変換テーブルに基づいて、ログ空間において、実測値に対する理想値の補正テーブルを作成すると、図１１（ｂ）に示すようになる（ステップＳ１１９）。このようにして、Ｂに対応した補正テーブルが作成される。
【００２９】
そして、その他の色の補正テーブルを作成するか否かが判断される（ステップＳ１２０）。その他の色の補正テーブルを作成する場合には、ステップＳ１０７に戻って、上述と同様の処理が繰り返される。その他の色の補正テーブルを作成しない場合には、処理は終了する。
【００３０】
なお、各色における３つの測定テーブルにおいて、測光値の空白領域がある場合には、必要に応じて、その領域の測光値の測定を行うことが好ましい。
【００３１】
以上説明したように、本実施の形態に係る補正テーブル作成方法では、例えばＢに対応した補正テーブルを作成する場合には、蓄積時間が１４倍に設定され且つＢのＣＣＤでの測光値がリニアリティ上問題のない領域の測光値である３０００近傍になるように調整された状態において得られる各蓄積時間毎の実測値と理想値との関係から、この条件下で蓄積時間が１倍に設定された状態で測定された実測値である２００近傍と３０００近傍との間の範囲の実測値と理想値との近似直線を算出することができる。また、蓄積時間が１４倍に設定され且つＢのＣＣＤでの測光値が２００近傍になる状態において得られる各蓄積時間毎の実測値と理想値との関係から、この条件下で蓄積時間が１倍に設定された状態で測定された実測値である１５近傍と２００近傍との間の範囲の実測値と理想値との近似曲線を算出することができる。また、蓄積時間が１４倍に設定され且つＢのＣＣＤでの測光値が３０近傍になる状態において得られる各蓄積時間毎の実測値と理想値との関係から、この条件下で蓄積時間が１倍に設定された状態で測定された実測値である０近傍と３０近傍との間の範囲の実測値と理想値との近似曲線を算出することができる。ここで、２００近傍と３０００近傍との間の範囲の実測値と理想値との近似直線と、１５近傍と２００近傍との間の範囲の実測値と理想値との近似曲線と、０近傍と３０近傍との間の範囲の実測値と理想値との近似曲線とを用いることにより、０近傍と３０００近傍との間の範囲のより広いダイナミックレンジが得られる補正テーブルを作成することができる。
【００３２】
また、Ｂに対応したＬＥＤ光源が単色点灯された場合に、ＢのＣＣＤで測光値が測定されるだけでなく、Ｒ、ＧのＣＣＤでも測光値が測定される。つまり、各単色点灯時に対象となる色以外の測光値も測定されるので、測定回数を減らすことができる。
【００３３】
また、２００近傍と３０００近傍との間の範囲の実測値と理想値との近似直線と、１５近傍と２００近傍との間の範囲の実測値と理想値との近似曲線と、０近傍と３０近傍との間の範囲の実測値と理想値との近似曲線とはいずれも、リニアリティ上問題のない領域の測光値である３０００近傍を基準点としているので、適正な補正テーブル作成することができる。
【００３４】
なお、上述の実施の形態では、Ｂに対応した補正テーブルを作成する場合に、Ｂに対応したＬＥＤ光源が単色点灯した状態におけるＢのＣＣＤでの実測値の他、Ｇに対応したＬＥＤ光源が単色点灯した状態におけるＢのＣＣＤでの実測値及びＲに対応したＬＥＤ光源が単色点灯した状態におけるＢのＣＣＤでの実測値が用いられているが、Ｂに対応した補正テーブルを作成する場合に、Ｂに対応したＬＥＤ光源が単色点灯した状態において、Ｂに対応したＬＥＤ光源から出射され且つＢのＣＣＤで受光される光量を複数段階に変化させることにより得られるＢのＣＣＤでの実測値だけを用いることも考えられる。つまり、この場合には、各単色点灯時に対象となる色以外の測光値は測定されない。ここで、Ｂに対応したＬＥＤ光源から出射され且つＢのＣＣＤで受光される光量を変化させる方法としては、Ｂに対応したＬＥＤ光源の電流を変化させる方法や、Ｂに対応したＬＥＤ光源から出射された光をＢのＣＣＤで受光される前にフィルタを通過させる方法がある。
【００３５】
次に、本発明のＣＣＤの補正テーブル作成方法に関連した他の補正テーブル作成方法を説明する。図１２は、本発明の実施の形態に係るＣＣＤの補正テーブル作成方法に関連した補正テーブル作成方法の手順を示すフローチャートである。
【００３６】
まず、ＬＥＤ光源を消灯した状態で、ＣＣＤの暗レベルを測定する（ステップＳ２０１）。その後、ＬＥＤ光源を最大電流値で点灯させる（ステップＳ２０２）。そして、ズームレンズの絞りを調整することにより、ラインスキャンによるＣＣＤでの測光値の平均値をリニアリティ上問題のない領域に収束させる（ステップＳ２０３）。本実施の形態では、リニアリティ上問題のない領域の測光値の平均値として、各色のＣＣＤから出力されるＡＤ値が例えば２４００〜３２００になるように調整される。その後、このＡＤ値が各色の測定の基点になる。なお、絞り調整のみで収束できない場合は、ＬＥＤ光源の電流値を可変させる
【００３７】
ＬＥＤ光源の電流値を一定間隔で変化させ、各電流値での測光値の平均値を測定する（ステップＳ２０４）。本実施の形態では、ＬＥＤ光源の電流値が、最大電流値の８分の１ずつ減少するように変化する。そして、暗レベル除去を行う（ステップＳ２０５）。上記の最大電流での測光値を基準として、測定テーブル全体の理想値を算出する（ステップＳ２０６）。このようにして得られる測定結果及び理想値は、図１３（ａ）のようになる。
【００３８】
そして、各電流値での実測値及び理想値がログ変換されると、図１３（ｂ）に示すようになる（ステップＳ２０７）。その後、ログ空間において、実測値に対する理想値の近似直線を最小２乗法により算出する（ステップＳ２０８）。図１４は、図１３（ｂ）に示す実測値及び理想値に基づいて算出された近似直線を示している。本実施の形態では、実測値ｘ、理想値ｙとすると、近似直線は次式で表される。
ｙ＝0.9649ｘ＋0.2724
【００３９】
このようにして、補正テーブルが作成される。そして、その他の色の補正テーブルを作成するか否かが判断される（ステップＳ２０９）。その他の色の補正テーブルを作成する場合には、ステップＳ２０１に戻って、その他の色のＬＥＤ光源に関し、上述と同様の処理が繰り返される。その他の色の補正テーブルを作成しない場合には、処理は終了する。
【００４０】
次に、本発明の補正テーブル作成方法に関連したその他の補正テーブル作成方法を説明する。図１５は、本発明の実施の形態に係るＣＣＤの補正テーブル作成方法に関連したその他の補正テーブル作成方法の手順を示すフローチャートである。ここでは、既知のリニアリティ補正が行われていることが条件である。
【００４１】
まず、光源光量の低下を模擬させるためのグレースケールパターンスライド（ガラス製）を使用し、本スキャンを行う（ステップＳ３０１）。本実施の形態では、スライドには、第１領域〜第９領域が設けられており、第１領域が最も暗いスケールであり、第９領域が最も明るいスケールになっている。
【００４２】
上記スライドの本スキャンにより、最も暗いスケールの測光値が得られる（ステップＳ３０２）。最も暗いスケールの測光値に基づいて、暗領域を得るためのフィルタの透過率を逆算し、適切なＮＤフィルタを選定する（ステップＳ３０３）。ここでは、ＮＤフィルタとして、ゼラチンＮＤフィルタが用いられる。上記で選定されたＮＤフィルタをスライド下部に貼り付け、本スキャンを行う（ステップＳ３０４）。上記スライドの本スキャンにより、最も暗い領域の測光値が得られる（ステップＳ３０５）。
【００４３】
最も暗い領域の測光値から各スケールの測光値を読み取り、実測値を得る（ステップＳ３０６）。スライド及びＮＤフィルタの透過率に基づいて、各スケールの実測値から光源光量を逆算する（ステップＳ３０７）。上記で逆算された光源光量に基づいて、各スケールの理想値を算出する（ステップＳ３０８）。各スケールの実測値に対する各スケールの理想値の近似直線を最小２乗法により算出する（ステップＳ３０９）。
【００４４】
このようにして、補正テーブルが作成される。そして、その他の色の補正テーブルを作成するか否かが判断される（ステップＳ３１０）。その他の色の補正テーブルを作成する場合には、ステップＳ３０１に戻って、その他の色に対応したスライドに関し、上述と同様の処理が繰り返される。その他の色の補正テーブルを作成しない場合には、処理は終了する。
【００４５】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、Ｂに対応した補正テーブルを作成する場合には、Ｂに対応したＬＥＤ光源が単色点灯した状態におけるＢのＣＣＤの実測値と理想値との関係から算出された近似直線と、Ｇに対応したＬＥＤ光源が単色点灯した状態におけるＢのＣＣＤの実測値と理想値との関係から算出された近似曲線と、Ｒに対応したＬＥＤ光源が単色点灯した状態におけるＢのＣＣＤの実測値と理想値との関係から算出された近似曲線とからＢに対応した補正テーブルが作成されているが、Ｂに対応したＬＥＤ光源が単色点灯した状態におけるＢのＣＣＤの実測値と理想値との関係から算出された近似直線と、Ｇに対応したＬＥＤ光源が単色点灯した状態におけるＢのＣＣＤの実測値と理想値との関係から算出された近似曲線とからＢに対応した補正テーブルが作成されてもよい。
【００４６】
また、上述の実施の形態では、６次式の近似曲線が算出されているが、近似曲線の次数は変更可能である。
【図面の簡単な説明】
【００４７】
【図１】本発明の実施の形態に係るＣＣＤの補正テーブル作成方法の手順を示すフローチャートである。
【図２】各色のＣＣＤの暗レベルの平均値を示す図である。
【図３】各単色点灯時の各ＣＣＤでの測光値を示す図である。
【図４】暗レベル除去が行われた後の各単色点灯時の各ＣＣＤでの測光値を示す図である。
【図５】Ｂ単色点灯時のＢのＣＣＤの実測値及び理想値を示す図である。
【図６】近似直線を示すグラフである。
【図７】Ｇ単色点灯時のＢのＣＣＤの実測値及び理想値を示す図である。
【図８】近似曲線を示すグラフである。
【図９】Ｒ単色点灯時のＢのＣＣＤの実測値及び理想値を示す図である。
【図１０】近似曲線を示すグラフである。
【図１１】実測値に対する理想値の補正テーブルを示す図である。
【図１２】本発明の実施の形態に係るＣＣＤの補正テーブル作成方法に関連した他の補正テーブル作成方法の手順を示すフローチャートである。
【図１３】暗レベル除去が行われた後のＣＣＤでの測光値を示す図である。
【図１４】近似直線を示すグラフである。
【図１５】本発明の実施の形態に係るＣＣＤの補正テーブル作成方法に関連したその他の補正テーブル作成方法の手順を示すフローチャートである。
【図１】
0004581875.tif 000002
【図２】
0004581875.tif 000003
【図３】
0004581875.tif 000004
【図４】
0004581875.tif 000005
【図５】
0004581875.tif 000006
【図６】
0004581875.tif 000007
【図７】
0004581875.tif 000008
【図８】
0004581875.tif 000009
【図９】
0004581875.tif 000010
【図１０】
0004581875.tif 000011
【図１１】
0004581875.tif 000012
【図１２】
0004581875.tif 000013
【図１３】
0004581875.tif 000014
【図１４】
0004581875.tif 000015
【図１５】
0004581875.tif 000016